(57)【特許請求の範囲】
【請求項１】
断面鋸歯状の連続溝を有するバンド部の一端側と一体に形成されている噛合爪が、対象物に巻き掛けた該バンド部が他端側の連続溝に、一端側に向かって戻る方向への移動を制限するように噛み合って結束するロック機能を備えるとともに、該噛合を解消して当該バンド部の戻る方向の移動を許容するロック解除機能を備える結束バンド用のロック解除道具であって、
前記結束バンドは、前記噛合爪と一体に形成されて前記対象物に巻き掛けた前記バンド部と一緒に摘めるように間隔を開けて対面する摘み部を備えて前記ロック解除機能を構成されているのに対して、
同一方向に延長されて固定側に対してスライド側を長さ方向に相対移動可能に一体化されている固定部材およびスライド部材からなる本体部と、
前記本体部の長さ方向に対する同一側方に突出するように前記固定部材および前記スライド部材のそれぞれの先端部に設けられて該長さ方向に離隔する位置に配置されている固定突起およびスライド突起と、
前記固定突起と前記スライド突起とが一定間隔で離隔する箇所に位置するように前記固定部材に対して前記スライド部材をスライドさせる方向に付勢する付勢部材と、
を備えて、
前記スライド部材は、前記固定部材に対して前記付勢部材の付勢力に抗する方向に移動させることにより前記スライド突起が前記固定突起に接近する方向にスライド移動して、前記結束バンドの前記バンド部と前記摘み部を一緒に摘むことで前記ロック解除機能を機能させることを特徴とする結束バンド用のロック解除道具。
【請求項２】
前記固定部材は円筒形状に形成されているとともに、前記スライド部材は前記固定部材の円筒形状内にスライド自在に収容される筒形状または棒形状に形成されて、
前記固定突起は前記固定部材の先端部外面から突出するとともに、前記スライド突起は前記スライド部材の先端部外面から突出しており、
前記スライド部材は前記固定部材の後端部側から露出する後端操作部を前記付勢部材の付勢力に抗するように先端部に近接する方向に押される、あるいは、先端部から離隔する方向に抜かれることで、前記スライド突起が前記固定突起に接近する方向にスライド移動することを特徴とする請求項１に記載の結束バンド用のロック解除道具。
【請求項３】
前記固定部材は有底の円筒形状に形成されて、前記スライド突起は前記固定部材の先端部に開口するスライド長穴内を貫通しており、
前記スライド部材は前記後端操作部を前記付勢部材の付勢力に抗するように先端部に近接する方向に押されることで前記スライド突起が前記固定突起に接近する方向にスライド移動することを特徴とする請求項２に記載の結束バンド用のロック解除道具。
【請求項４】
前記付勢部材は、前記固定部材の内面に形成されている内凸形状と、前記スライド部材の外面に形成されている外凸形状と、の間に収容されて、当該内面と当該外面の間の隙間を周回する螺旋形状に形成されて離隔方向の付勢力を発生させるようにセットされていることを特徴とする請求項３に記載の結束バンド用のロック解除道具。
【請求項５】
前記固定部材は、前記後端操作部を押す際に、先端部寄りの外面に指を引っ掛ける引掛部が設けられていることを特徴とする請求項３または４に記載の結束バンド用のロック解除道具。
【発明の詳細な説明】
【技術分野】
【０００１】
本発明は、結束バンド用のロック解除道具に関し、詳しくは、結束バンドが備えるロック解除機能を狭い作業空間でも容易に機能させるものに関する。
【背景技術】
【０００２】
電線等を束ねる場合に利用する結束バンドが知られている。この結束バンドは、結束対象にバンド部を巻き掛けて締め付けるようにロック機構に通すことにより、そのロック機構がバンド部の戻りを制限するロック状態にして結束状態を維持する。
この種の結束バンドには、バンド部の戻りを制限するロック機構のロック状態を解除してバンド部の戻りを許容することにより、切断することなく、結束対象からバンド部を外して再利用できるものも提供されている（例えば、特許文献１）。
【０００３】
この結束バンドのロック機構は、バンド部の移動を制限する噛合爪と一体の解除爪（摘み部）がそのバンド部と対面する状態にあって、その解除爪をバンド部と一緒に摘むように操作することにより噛合爪によるバンド部との噛合を解除して戻り方向の移動制限を解消するようになっている。
しかしながら、この結束バンドは、バンド部の端部にロック機構が設けられていることから、束ねる電線等に隣接する位置でロック機構を操作する作業をする必要がある。このため、このような結束バンドでは、例えば、先端が細くなっているラジオペンチでロック機構の解除爪とバンド部とを一緒に摘む作業をする必要がある。
【０００４】
このラジオペンチは、ロック機構の解除爪とバンド部とを並列させる姿勢（向き）にして一緒に摘むことのできる方向からアプローチする必要があり、その方向に作業空間を確保できない場合には、結束する電線等を作業可能な位置まで引き出す必要がある。このため、作業環境によっては、バンド部を切断しなければならない場合がある。要するに、結束バンドで結束する線状部材は、ラジオペンチがアプローチする方向と同一方向に延長する状態にあり、作業空間のない状況の方が多い。
【先行技術文献】
【特許文献】
【０００５】
【特許文献１】特開２００４−３１４９９８号公報
【発明の概要】
【発明が解決しようとする課題】
【０００６】
そこで、本発明は、結束バンドのロック機構の摘み部とバンド部とが重なる方向からアプローチして一緒に摘むことのできる結束バンド用のロック解除道具を提供することを目的としている。
【課題を解決するための手段】
【０００７】
上記課題を解決する結束バンド用のロック解除道具の発明の一態様は、断面鋸歯状の連続溝を有するバンド部の一端側と一体に形成されている噛合爪が、対象物に巻き掛けた該バンド部が他端側の連続溝に、一端側に向かって戻る方向への移動を制限するように噛み合って結束するロック機能を備えるとともに、該噛合を解消して当該バンド部の戻る方向の移動を許容するロック解除機能を備える結束バンド用のロック解除道具であって、前記結束バンドは、前記噛合爪と一体に形成されて前記対象物に巻き掛けた前記バンド部と一緒に摘めるように間隔を開けて対面する摘み部を備えて前記ロック解除機能を構成されているのに対して、同一方向に延長されて固定側に対してスライド側を長さ方向に相対移動可能に一体化されている固定部材およびスライド部材からなる本体部と、前記本体部の長さ方向に対する同一側方に突出するように前記固定部材および前記スライド部材のそれぞれの先端部に設けられて該長さ方向に離隔する位置に配置されている固定突起およびスライド突起と、前記固定突起と前記スライド突起とが一定間隔で離隔する箇所に位置するように前記固定部材に対して前記スライド部材をスライドさせる方向に付勢する付勢部材と、を備えて、前記スライド部材は、前記固定部材に対して前記付勢部材の付勢力に抗する方向に移動させることにより前記スライド突起が前記固定突起に接近する方向にスライド移動して、前記結束バンドの前記バンド部と前記摘み部を一緒に摘むことで前記ロック解除機能を機能させることを特徴とするものである。
【発明の効果】
【０００８】
このように本発明の一態様によれば、同一方向に延長されている固定部材に対してスライド部材を付勢力に抗してスライド移動させることで、それぞれの先端部で長さ方向に離隔して重なる固定突起とスライド突起とを近接させることができる。したがって、結束バンドのロック機構の摘み部とバンド部とが重なる方向からアプローチして、固定突起とスライド突起の間で一緒に摘んでロックを解除することができる。要するに、例えば、結束バンドで結束する線状部材の延長方向に対して直交など交差する方向の十分な作業空間側からアプローチして作業することができる。
【図面の簡単な説明】
【０００９】
【図１】本発明に係る結束バンド用のロック解除道具の一実施形態の概略全体構成を示す図であり、（ａ）はその一方向からの外観平面図、（ｂ）はその（ａ）に対する直交方向からの外観平面図である。
【図２】その内部構造を示す一部断面平面図である。
【図３】その結束バンドの構造を示す使用時の状態での断面平面図である。
【発明を実施するための形態】
【００１０】
本発明の実施形態の一態様としては、断面鋸歯状の連続溝を有するバンド部の一端側と一体に形成されている噛合爪が、対象物に巻き掛けた該バンド部が他端側の連続溝に、一端側に向かって戻る方向への移動を制限するように噛み合って結束するロック機能を備えるとともに、該噛合を解消して当該バンド部の戻る方向の移動を許容するロック解除機能を備える結束バンド用のロック解除道具であって、前記結束バンドは、前記噛合爪と一体に形成されて前記対象物に巻き掛けた前記バンド部と一緒に摘めるように間隔を開けて対面する摘み部を備えて前記ロック解除機能を構成されているのに対して、同一方向に延長されて固定側に対してスライド側を長さ方向に相対移動可能に一体化されている固定部材およびスライド部材からなる本体部と、前記本体部の長さ方向に対する同一側方に突出するように前記固定部材および前記スライド部材のそれぞれの先端部に設けられて該長さ方向に離隔する位置に配置されている固定突起およびスライド突起と、前記固定突起と前記スライド突起とが一定間隔で離隔する箇所に位置するように前記固定部材に対して前記スライド部材をスライドさせる方向に付勢する付勢部材と、を備えて、前記スライド部材は、前記固定部材に対して前記付勢部材の付勢力に抗する方向に移動させることにより前記スライド突起が前記固定突起に接近する方向にスライド移動して、前記結束バンドの前記バンド部と前記摘み部を一緒に摘むことで前記ロック解除機能を機能させる構成を備えるのに加えて、次の構成を備えてもよい。
【００１１】
第１の他の態様としては、前記固定部材は円筒形状に形成されているとともに、前記スライド部材は前記固定部材の円筒形状内にスライド自在に収容される筒形状または棒形状に形成されて、前記固定突起は前記固定部材の先端部外面から突出するとともに、前記スライド突起は前記スライド部材の先端部外面から突出しており、前記スライド部材は前記固定部材の後端部側から露出する後端操作部を前記付勢部材の付勢力に抗するように先端部に近接する方向に押される、あるいは、先端部から離隔する方向に抜かれることで、前記スライド突起が前記固定突起に接近する方向にスライド移動するように構成されていてもよい。
第２の他の態様としては、前記固定部材は有底の円筒形状に形成されて、前記スライド突起は前記固定部材の先端部に開口するスライド長穴内を貫通しており、前記スライド部材は前記後端操作部を前記付勢部材の付勢力に抗するように先端部に近接する方向に押されることで前記スライド突起が前記固定突起に接近する方向にスライド移動するように構成されていてもよい。
【００１２】
第３の他の態様としては、前記付勢部材は、前記固定部材の内面に形成されている内凸形状と、前記スライド部材の外面に形成されている外凸形状と、の間に収容されて、当該内面と当該外面の間の隙間を周回する螺旋形状に形成されて離隔方向の付勢力を発生させるようにセットされていてもよい。
第４の他の態様としては、前記固定部材は、前記後端操作部を押す際に、先端部寄りの外面に指を引っ掛ける引掛部が設けられていてもよい。
【００１３】
以下、図面を参照して、本発明の実施形態について詳細に説明する。図１〜図３は本発明に係る結束バンド用のロック解除道具の一実施形態を示す図である。
図１および図２において、ロック解除道具１０は、固定突起２１を備える外筒（固定部材）１１と、スライド突起２５を備える内筒（スライド部材）１５と、内筒１５をホームポジションに位置させるように付勢するスプリング（付勢部材）１９と、を組み立てるだけの簡易な構造に作製されており、図３に示す結束バンド５１のバンド部５２の戻りを制限するロック機構によるロック状態の解除操作をする。
ここで、外筒１１と内筒１５とは、絶縁性を有する樹脂材料で作製するのが好ましく、特に、作業者や作業対象に触れる可能性のある外筒１１、固定突起２１、スライド突起２５、および、内筒１５の後端部１５ｂの少なくとも外面を絶縁材料で覆うことにより絶縁性を確保するのが作業上の安全性を確保する上で有効である。
【００１４】
外筒１１は、先端部側に底部１１ａを有する有底の円筒形状（四角などの角筒形状でもよい）に形成されており、後端部側の開口部１１ｂから内筒１５を差込収容可能にその内筒１５の外径よりも大きな内径を有するように形成されている。
内筒１５は、外筒１１内に差込可能な外径の円筒形状（円柱棒形状でもよい）に形成されており、外筒１１の開口部１１ｂから先端部１５ａを底部１１ａまで差し込んだときに後端部１５ｂの一部が露出する、言い換えると、その後端部１５ｂを十分に押すことができる長さに形成されている。
【００１５】
外筒１１は、内周面の内径を小さくするようにリブ形状に形成された複数の円環支持部１２ａ、１２ｂがその内周面の軸方向に離隔する箇所に一体形成されている。円環支持部１２ａ、１２ｂは、内径を内筒１５の外径よりも大きめに形成することにより、内部に差し込まれた内筒１５を安定した姿勢で内部に挿入・離脱する方向（長さ方向）にスライド自在に支持する。また、外筒１１は、開口部１１ｂの開口端にも円環支持部１２ｃが形成されており、この円環支持部１２ｃも同様に、内部に差し込まれた内筒１５の後端部１５ｂ側をスライド自在に支持する。
内筒１５は、外周面の外径を大きくするようにリブ形状に形成された円環衝止部１６が後端部１５ｂ側に一体形成されている。円環衝止部１６は、外径を外筒１１の内周面の内径よりも小さめで円環支持部１２ｃの内径よりも大きめに形成されることにより、外筒１１内から引き抜く方向にスライドしたときに円環支持部１２ｃに衝止されて離脱してしまうことがないように、言い換えると、組立状態を維持する。
【００１６】
固定突起２１は、底部１１ａを外筒１１の外周面端部から法線方向に延長させて突出する形状に一体形成されている。
スライド突起２５は、同様に、先端部１５ａ最端部を内筒１５の外周面端部から法線方向に延長させて突出する形状に一体形成されている。
固定突起２１に隣接する箇所の外筒１１の外周面には、開口部１１ｂ側に向かう方向を長手方向として軸線と平行な長穴（スライド長穴）１３が開口している。長穴１３は、スライド突起２５をスライド自在に差込貫通させて外面から突出可能に、そのスライド突起２５よりも太めの開口幅で、後述する離隔間隔Ｓ程度の長さに形成されている。
【００１７】
スプリング１９は、外筒１１の円環支持部（内凸形状）１２ｂと内筒１５の円環衝止部（外凸形状）１６との間の外筒１１と内筒１５の間の隙間に収容セットされている。このスプリング１９は、外筒１１内から内筒１５を離脱させる方向（離隔方向）に付勢する付勢力を発生する螺旋形状に形成されており、円環衝止部１６を円環支持部１２ｃに突き当てて衝止させる。
外筒１１の長穴１３は、内筒１５の後端部１５ｂが押されてスライド突起２５が固定突起２１に接近する隣接位置に位置する状態から、内筒１５がスプリング１９の付勢力で離脱する方向に付勢されて円環衝止部１６を円環支持部１２ｃに衝止される位置までの離隔間隔Ｓ程度に、スライドできる長さに形成されている。
【００１８】
外筒１１には、中間部付近の外周面にリブ形状に形成された円環引掛部１４が形成されており、その円環引掛部１４の先端側に指を引っ掛けて内筒１５の後端部（後端操作部）１５ｂを容易に押すことができるようになっている。
【００１９】
ところで、結束バンド５１は、図３に示すように、可撓性を有するバンド部５２を挿通可能な枠形状のロック部（ロック機構）５３がそのバンド部５２の基端（一端）側に一体成形されている。
バンド部５２の一面側には、断面鋸歯状の噛合歯（連続溝）５２ａが形成されるとともに、ロック部５３の枠形状内には、弾性変形しつつそのバンド部５２の噛合歯５２ａに噛み合う噛合爪５３ａが一体成形されている。
【００２０】
すなわち、この結束バンド５１は、バンド部５２の噛合歯５２ａに噛み合うロック部５３の噛合爪５３ａがそのバンド部５２の戻り方向の移動を制限してロックするようになっている。
ロック部５３には、噛合爪５３ａから外方に延長してバンド部５２に間隔を空けて対面する解除爪（摘み部）５４も一体成形されている。このロック部５３は、解除爪５４をバンド部５２に接近させる方向に、例えば、摘むなどして移動させて噛合爪５３ａと一緒に揺動させるように弾性変形させることにより、噛合爪５３ａを噛合歯５２ａとの噛み合い状態から離脱させてバンド部５２のロック状態を解除して引き抜くことを可能にする（許容する）。
これにより、図３に示す結束バンド５１は、バンド部５２を束ねた電線（対象物）Ｄに巻き掛けた状態のままロック部５３に通して噛合歯５２ａに噛合爪５３ａを噛み合わせつつ引き出すことにより、そのバンド部５２が戻る方向に移動するのを制限して、その電線Ｄの結束状態を維持するようにロックすることができる。
【００２１】
これに対して、ロック解除道具１０は、結束バンド５１による電線Ｄの結束箇所付近に挿し込んで、外筒１１の固定突起２１と内筒１５のスライド突起２５との間にロック部５３の解除爪５４とバンド部５２とを一緒に位置させた状態に容易にすることができる。
この後に、ロック解除道具１０は、そのまま外筒１１の円環引掛部１４に指を引っ掛けて注射器のように内筒１５の後端部１５ｂをスプリング１９の付勢力に抗して押すことにより、固定突起２１にスライド突起２５を接近させる方向にスライド移動させることができる。
この操作により、ロック解除道具１０は、固定突起２１とスライド突起２５の間でロック部５３の解除爪５４とバンド部５２とを一緒に摘んでロック状態を解除することができ、バンド部５２をロック部５３内から引き抜くことができる。
【００２２】
このとき、結束バンド５１は、バンド部５２を巻き掛けて結束する電線Ｄの延長方向に対して直交方向にロック部５３の解除爪５４とバンド部５２とは重なる状態にある。
このことから、ロック解除道具１０は、例えば、配線ボックス内の電線Ｄの結束バンド５１による結束箇所に、ラジオペンチなどのように側方からアプローチすることなく、その配線ボックスの正面の広い作業スペースからアプローチして容易にロック部５３の解除爪５４とバンド部５２とを固定突起２１とスライド突起２５の間に位置させることができる。
また、ロック解除道具１０は、円環引掛部１４を利用して後端部１５ｂを容易に押し込むだけでロック部５３のロック状態を容易に解除することができる。
この結果、結束バンド５１は、バンド部５２をロック部５３内から簡単に引き抜いて回収することができる。
【００２３】
ここで、本実施形態では、外筒内に内筒を収容して固定部材とスライド部材とを組み立てる場合を一例にして説明するが、これに限るものではなく、例えば、平板形状の固定部材とスライド部材とを相対的にスライド自在に組み合わせて、それぞれに固定突起とスライド突起を設けてもよいことは言うまでもない。
また、内筒の先端部を外筒の先端部から露出させて、内筒を引き抜くように操作することで固定突起とスライド突起との間隔を狭めて摘み部とバンド部とを摘むことができるようにしてもよい。
【００２４】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００２５】
１０   ロック解除道具
１１   外筒
１２ａ〜１２ｃ       円環支持部
１３   長穴
１４   円環引掛部
１５   内筒
１５ａ 先端部
１５ｂ 後端部
１６   円環衝止部
１９   スプリング
２１   固定突起
２５   スライド突起
５１   結束バンド
５２   バンド部
５２ａ 噛合歯
５３   ロック部
５３ａ 噛合爪
５４   解除爪
Ｄ     電線
【要約】
【課題】結束バンドのロック機構の摘み部とバンド部とが重なる方向からアプローチして一緒に摘むことのできる結束バンド用のロック解除道具を提供すること。
【解決手段】外筒１１内に内筒１５をスライド自在に収容して、外筒先端に固定突起２１を形成するとともに、内筒先端には外筒の長穴１３から外部に突出するスライド突起２５を形成して、スプリング１９の付勢力に抗して内筒１５の後端部１５ｂを押し込む構造にすることにより、固定突起にスライド突起を軸方向から接近させて、結束バンドの解除爪とバンド部とを一緒に摘んで接近させロックを解除可能にする。
【選択図】図１【図１】
0005497207.tif 000002
【図２】
0005497207.tif 000003
【図３】
0005497207.tif 000004